(57)【要約】【課題】本発明は、意匠に優れ、視界遮断性と視認性を併せもち、かつ軽量で生産の容易な化粧パネル、および化粧パネルを容易に着脱可能な取付構造を提案するものである。【課題を解決するための手段】上記課題を解決するために、本発明に係る化粧パネルの代表的な構成は、建築物の側面に用いる化粧パネルであって、金属板を連続的に屈折させて交互に前面部と後面部を形成し、前記前面部と後面部の間に切欠を設けたことを特徴とする。【選択図】        図１
2004353362.tif 000002
【特許請求の範囲】
【請求項１】
建築物の側面に用いる化粧パネルであって、
金属板を連続的に屈折させて交互に前面部と後面部を形成し、
前記前面部と後面部の間に切欠を設けたことを特徴とする化粧パネル。
【請求項２】
前記切欠は、前記前面部および後面部に沿ったスリット状の長穴であることを特徴とする請求項１記載の化粧パネル。
【請求項３】
金属板の、前記切欠に位置していた部分を、該パネルの背面側に屈曲させてリブを形成したことを特徴とする請求項１記載の化粧パネル。
【請求項４】
化粧パネルの取付構造であって、
建築物の側面に取り付けられ、化粧パネルの上辺または下辺に対応する起立部と、建築物の側面と反対側に設けられた係合部とを備えた枠体と、
前記枠体の係合部に着脱可能に係止される係止部と、化粧パネル前面に突出する突出部とを備えた規制部材と、
を有することを特徴とする化粧パネルの取付構造。
【請求項５】
前記規制部材は弾性を有し、該規制部材の係止部は前記枠体の係合部に圧入することにより係止することを特徴とする請求項４記載の化粧パネルの取付構造。
【発明の詳細な説明】
【０００１】
【発明の属する技術分野】
本発明は、意匠に優れ、視界遮断性と視認性を併せもち、かつ軽量で生産の容易な化粧パネルに関するものである。
【０００２】
【従来の技術】
建築物の外観を構成する要素（部材）として、古くから、棒状の部材を連続的に配置したものがある。図９（ａ）に示す連子格子（れんじこうし）は、枠４０に棒状部材４１を隙間を有して配置したものであり、窓や戸に設けられる場合が多い。また図９（ｂ）に示す矢来は、短冊状部材４２を連続的に配置したものであり、建築物の外周の下部に配置される。矢来は土壁に雨が跳ね返ることを防止することを目的とする場合には隙間なく配置されるが、犬よけ等を目的とする場合には隙間を有して配置される場合もある。現在はいずれも減少の傾向にあるが、主として意匠的な目的で現在も用いられている。このとき、アルミニウムやステンレスなどの金属で製作される場合も多い。
【０００３】
一方、近年の建築物の外観を構成する要素として、モルタル塗りや、化粧パネルが用いられることが多い。特に基礎部分は一般に鉄筋コンクリート構造からなっているため、外観の体裁をよくするために何らかの表面処理を行う必要がある。図１０（ａ）は基礎コンクリート５０の外側表面にモルタル５１を塗りつけた例であり、さらに塗装や吹き付けを行う場合もある。図１０（ｂ）は基礎コンクリート５０の表面にタイル調の乾式化粧パネル５２を装着した例である。
【０００４】
【特許文献１】
特開２０００−０３４７９９号公報
【特許文献２】
特開平１１−１８１９５０号公報
【特許文献３】
特開２００１−２１４５５８号公報
【特許文献４】
特開２００２−１２９７３０号公報
【０００５】
【発明が解決しようとする課題】
しかし、上記したようなモルタルや化粧パネルを用いて外壁を構成した場合、化粧層によって完全に面を覆うことになってしまう。従って窓や通気孔に対して用いることができないのはもちろん、基礎コンクリートなどの湿気対策が必要となったり、また内部の劣化の確認等の維持管理がしにくいという問題がある。これに対し従来からも、上記特許文献１に示されるように、通気および内部の視認が可能な金網状の化粧パネルが提案されている。
【０００６】
また意匠面について考えれば、上記モルタルや化粧パネルは平坦なものになりがちであり、連子格子や矢来のように棒状の部材を連続的に配置したような立体感を得たい場合もある。化粧パネルにおいてこのような構造を提案するものに上記特許文献２があり、ＡＬＣパネルに平行な複数の溝を掘って、石材または石調シート建材を接着剤で貼着した構成が示されている。
【０００７】
さらに化粧パネルの取り付け構成は、単にモルタルや接着剤で貼着したり、基礎コンクリートや建築物の躯体にビス止めしたりするのが一般である。これに対し、上記特許文献３に示されるように基礎コンクリートの型枠部材によって支持するものや、特許文献４に示されるように、基礎コンクリートに取り付けたレールに、化粧パネルに取り付けた結合部材を嵌合させるものが提案されている。
【０００８】
そこで本発明は、意匠に優れ、視界遮断性と視認性を併せもち、かつ軽量で生産の容易な化粧パネル、および化粧パネルを容易に着脱可能な取付構造を提案するものである。
【０００９】
【課題を解決するための手段】
上記課題を解決するために、本発明に係る化粧パネルの代表的な構成は、建築物の側面に用いる化粧パネルであって、金属板を連続的に屈折させて交互に前面部と後面部を形成し、前記前面部と後面部の間に切欠を設けたことを特徴とする。これにより、棒状の部材を連続的に配置したような立体感を得ることができるため、意匠に優れる。また、視界遮断性と視認性を併せもち、かつ軽量で生産の容易な化粧パネルとすることができる。
【００１０】
また前記切欠は、前記前面部および後面部に沿ったスリット状の長穴であることを特徴とする。これにより、前面部と後面部の連結を保ちつつ、相互の間に隙間を形成することができる。
【００１１】
また、金属板の、前記切欠に位置していた部分を、該パネルの背面側に屈曲させてリブを形成したことを特徴とする。これにより、前面部および後面部に外観上の厚みを持たせると共に、化粧パネルの剛性を向上させることができる。
【００１２】
また本発明に係る化粧パネルの取付構造の代表的な構成は、建築物の側面に取り付けられ、化粧パネルの上辺または下辺に対応する起立部と、建築物の側面と反対側に設けられた係合部とを備えた枠体と、前記枠体の係合部に着脱可能に係止される係止部と、化粧パネル前面に突出する突出部とを備えた規制部材とを有することを特徴とする。これにより、規制部材を着脱することにより容易に化粧パネルを取り付け、または取り外すことができる。
【００１３】
また、前記規制部材は弾性を有し、該規制部材の係止部は前記枠体の係合部に圧入することにより係止することを特徴とする。規制部材の着脱を容易とするための構成の例である。
【００１４】
【発明の実施の形態】
本発明に係る化粧パネル、およびその取付構造の実施形態について説明する。図１は化粧パネルの斜視図、図２は化粧パネルの三面図、図３は化粧パネルの部分切断図、図４は化粧パネルの部分斜視図である。
【００１５】
図１に示す化粧パネル１は、１枚の金属板を連続プレス加工によって打ち抜き、曲げを行うことにより形成したものである。
【００１６】
図１（ａ）に示すように、化粧パネル１は、金属板を連続的に屈折させて、交互に前面部１０と後面部１１を形成している。詳しくは、金属板を所定幅で山折りと谷折りを二度ずつ形成することにより、全体的な断面をパルス波形のような往復形状としている。そして化粧パネル１の表面側に突出した面を前面部１０と称し、背面側に後退した面を後面部１１と称している。
【００１７】
前面部１０と後面部１１の間の側面部１５（パネル設置面に対し起立した面）には、切欠１２を設けている。切欠１２は前面部１０と後面部１１に沿ったスリット状の長穴であって、前面部１０と後面部１１とは切欠１２のない部分（以下連結部１３という）によって連結されている。なお連結部１３の数および位置は任意に設定することができ、例えば階段の側面にも使用することを想定して、段差よりも低い幅において２カ所以上設けることが望ましい。
【００１８】
金属板の切欠１２に位置していた部分は、全て打ち抜いているわけではなく、一部を後面部１１よりもパネル背面側に屈曲させることにより、図１（ｂ）に示すように後面部１１の両側にリブ１４を形成している。また前面部１０においては、前面部１０の幅よりも離れた位置に切欠１２を設けることにより、側面部１５を残している。これにより、化粧パネル１の剛性を向上させている。
【００１９】
なお、実際に連続プレス加工にて形成する場合には、まず切欠１２を打ち抜き、リブ１４を背面側に曲げた後に、全体的に屈折させて前面部１０と後面部１１を形成する。従って、プレスの金型を作成した後は連続的に大量生産することが可能であり、安価に製作することができる。また、金属板としてアルミニウムを用いることにより、プレス加工も容易となり、腐食にも強い化粧パネル１とすることができる。
【００２０】
上記構成としたことにより、図２の正面図に示すように、化粧パネル１を正面から見た場合には、前面部１０と後面部１１とが交互に現れており、これらの間に形成された切欠１２は見えない位置にある。従って、正面から見た場合には化粧パネルの後ろにある壁を見ることができず、視界遮断性を有することになる。
【００２１】
また図２のＡ−Ａ断面図および図３の部分切断図に示すように、切欠１２に対応する位置においては、前面部１０と後面部１１はいずれも断面が略コ字状をなしている。そして図４に示すように、前面部１０同士の間には後面部１１の幅に相当する隙間ｄ１が形成され、前面部１０と後面部１１との間には切欠１２による隙間ｄ２が形成される。従って図４において、化粧パネル１の正面（矢印ｍ方向）から見た場合には後ろの壁を見ることができないが、斜め（矢印ｎ方向）から見た場合には隙間ｄ１、ｄ２を通して後ろの壁を見ることができる。従って、視界遮断性と視認性を併せもたせることができる。また隙間ｄ１、ｄ２があることにより、十分な通気性を確保することができる。
【００２２】
意匠面に関しては、前面部１０と後面部１１がパネル設置面に対して異なる高さに構成されることから、あたかも棒状の部材を連続的に配置したような立体感を得ることができる。特に前面部１０の側面に側面部１５が形成され、後面部１１の側面にリブ１４が形成されていることから、これら前面部１０および後面部に外観上の厚みを持たせることができる。
【００２３】
次に、化粧パネル１の取付構造について説明する。図５は化粧パネルの取付構造を説明する図、図６は上レールおよび下レールを説明する図、図７は取り付けた化粧パネルを説明する断面図である。なお、本発明に係る取付構造は、本発明に係る化粧パネルに対して好適であるが、他の構成を有する化粧パネルであっても同様に側面に取り付けが可能である。
【００２４】
図５は、住宅の基礎に化粧パネルを取り付けた状態を示す例である。図に示す基礎はいわゆる布基礎であり、基礎コンクリート２０の上部に基礎パッキン２１を介して土台２２などの躯体が設置されている。躯体の屋外側には外壁２３が取り付けられ、外壁２３の下端には基礎パッキン２１に雨水が入り込まないよう土台水切り２４が取り付けられている。上記構成の基礎構造において、基礎コンクリート２０の外装として化粧パネル１を取り付ける。
【００２５】
化粧パネル１は、上辺と下辺を上レール２５および下レール２６によって支持することによって取り付ける。図６（ａ）に示すように、上レール２５は基部２５ａを接着剤やビスなどによって基礎コンクリート２０に取り付けられており、その先端２５ｂは屈曲して化粧パネル１の前面側まで回り込んでいる。従って化粧パネル１を上レール２５内に差し込むことにより、化粧パネル１の上辺が基礎コンクリート２０から離隔する方向の移動を規制される。
【００２６】
図６（ｂ）に示すように、下レール２６は、枠体２７と規制部材２８とから構成される。枠体２７は基部２７ａを接着剤やビスなどによって基礎コンクリート２０に取り付けられ、化粧パネル１の下辺を支持する起立部２７ｂと、基礎コンクリート２０と反対側に開口する係合部２７ｃとを備えている。規制部材２８は弾性を有する樹脂によって形成した断面が略Ｌ字状の部材であり、厚み方向に弾性変形可能な係止部２８ａと、係止部２８ａと直交する方向に屈折して化粧パネル１前面に突出する突出部２８ｂとを備えている。従って、化粧パネル１は枠体２７の起立部２７ｂに載置されて上下位置を規定され、また規制部材２８の突出部２８ｂによって下辺が基礎コンクリート２０から離隔する方向の移動を規制される。
【００２７】
また、係止部２８ａを引き抜くことによって規制部材２８を取り外すことができ、さらに規制部材２８の係止部２８ａを枠体２７の係合部２７ｃに圧入することによって係止することで下レール２６を構成することができる。すなわち工具等を用いることなく下レール２６の規制部材２８を着脱可能であり、容易に化粧パネル１の交換を行うことが可能となっている。
【００２８】
また図６（ｃ）に示すように、化粧パネル１を複数枚並べる場合には、化粧パネル１の端部に位置している後面部１１を重ね合わせることにより、化粧パネル１を違和感なく連続させることが可能となる。
【００２９】
ここで、図７は化粧パネルを取り付けた基礎の断面図である。上述した如く、化粧パネル１の正面（矢印ｍ方向）から見た場合には基礎コンクリート２０を見ることができない。従って、基礎コンクリート２０表面、特にコンクリートの打ち継部などの意匠状の欠陥部を隠蔽することができる。一方、化粧パネル１に近接して斜め（矢印ｎ方向）から見た場合には隙間ｄ１、ｄ２を通して基礎コンクリート２０を見ることができる。従って、基礎コンクリート２０のクラックの有無などが化粧パネルを取り外すことなく容易に確認することができる。さらに、十分な通気性が確保されていることから、基礎コンクリート２０に対して特段の湿気対策を考慮する必要がなく、また基礎コンクリート２０に通気孔が設けられていた場合にもこれを塞いでしまうおそれがない。
【００３０】
すなわち、本発明に係る化粧パネルを建築物の基礎の外装に用いることにより、意匠が優れ、かつ、基礎のコンクリートの維持管理が容易な基礎構造を提供できる。その際に、本発明に係る化粧パネルの取付構造を用いれば、化粧パネル１の端面が露出することなく、また交換も容易であるため、好適である。
【００３１】
なお、本発明に係る化粧パネルは上記実施形態に挙げたものに限定されず、一枚の金属板を連続的に屈折させて交互に前面部と後面部を形成し、前記前面部と後面部の間に切欠を設けたものであればよい。例えば図８に示す化粧パネル３０は金属板を交互に湾曲するよう屈折させて、全体的な断面をサインカーブのような波打ち形状として、前面部３１と後面部３２を形成したものである。このとき切欠３３に位置していた部分を打ち抜いてしまわずに、折り曲げてリブ３４を形成することにより、正面からの視界遮断性、通気性を確保しつつ剛性を高めることができる。
【００３２】
また、建築物の基礎の外面に断熱材（断熱層）を設ける場合があるが、このような場合にも、本発明に係る化粧パネルを利用することができる。これらの断熱材は４〜５ｃｍの厚みがあり、型枠の中に入れてコンクリートの打ち込みを行ったり、基礎の外周面に張り付けたりして取り付けられ、そのさらに外周面はモルタル仕上げなどを行うのが一般である。化粧パネルは、例えば長いボルトを用いて断熱材を貫通させ、基礎に対して取り付けることができる。
【００３３】
また化粧パネルの適用場所としては基礎部分に限定されず、建築物の外壁の１階と２階の継ぎ目部分や、壁面に埋め込まれた照明の目隠しなどにも用いることができる。
【００３４】
また上記実施形態において上レール２５は単に化粧パネル１を差し込む構造をしているが、上レールも下レール２６と同様に枠体２７と規制部材２８とから構成してもよく、もしくは上レールのみをそのような構成としてもよい。
【００３５】
【発明の効果】
上記説明した如く、本発明によれば、金属板を連続的に屈折させて交互に前面部と後面部を形成し、前記前面部と後面部の間に切欠を設けたことにより、視界遮断性と視認性を併せもち、通気性が良く、かつ軽量で生産の容易な化粧パネルを提供することができる。また、あたかも棒状の部材を連続的に配置したような立体感を得ることができ、意匠に優れている。特に建築物の基礎に本発明に係る化粧パネルを用いれば、意匠が優れ、かつ、基礎のコンクリートの維持管理が容易な基礎構造を提供できる。
【００３６】
また、前記切欠を、前記前面部および後面部に沿ったスリット状の長穴としたことにより、前面部と後面部の連結を保ちつつ、相互の間に隙間を形成することができる。
【００３７】
また、金属板の、前記切欠に位置していた部分を、該パネルの背面側に屈曲させてリブを形成したことにより、前面部および後面部に外観上の厚みを持たせると共に、化粧パネルの剛性を向上させることができる。
【００３８】
また本発明に係る化粧パネルの取付構造は、建築物の側面に取り付けられ、化粧パネルの上辺または下辺に対応する起立部と、建築物の側面と反対側に設けられた係合部とを備えた枠体と、前記枠体の係合部に着脱可能に係止される係止部と、化粧パネル前面に突出する突出部とを備えた規制部材とを有することにより、規制部材を着脱することによって容易に化粧パネルを着脱することができ、また化粧パネルの端面が露出することがない。
【００３９】
特に、前記規制部材が弾性を有し、該規制部材の係止部を前記枠体の係合部に圧入することにより係止するよう構成したことにより、規制部材の着脱を容易とすることができる。
【図面の簡単な説明】
【図１】化粧パネルの斜視図である。
【図２】化粧パネルの三面図である。
【図３】化粧パネルの部分切断図である。
【図４】化粧パネルの部分斜視図である。
【図５】化粧パネルの取付構造を説明する図である。
【図６】上レールおよび下レールを説明する図である。
【図７】取り付けた化粧パネルを説明する断面図である。
【図８】化粧パネルの他の例を示す図である。
【図９】旧来の建築物の外観構成要素を説明する図である。
【図１０】近年の建築物の基礎の外見構成要素を説明する図である。
【符号の説明】
ｄ１    …隙間
ｄ２    …隙間
１        …化粧パネル
１０        …前面部
１１        …後面部
１２        …切欠
１３        …連結部
１４        …リブ
１５        …側面部
２０        …基礎コンクリート
２１        …基礎パッキン
２２        …土台
２３        …外壁
２４        …土台水切り
２５        …上レール
２５ａ    …基部
２５ｂ    …先端
２６        …下レール
２７        …枠体
２７ａ    …基部
２７ｂ    …起立部
２７ｃ    …係合部
２８        …規制部材
２８ａ    …係止部
２８ｂ    …突出部
３０        …化粧パネル
３１        …前面部
３２        …後面部
３３        …切欠
３４        …リブ
４０        …枠
４１        …棒状部材
４２        …短冊状部材
５０        …基礎コンクリート
５１        …モルタル
５２        …化粧パネル
【図１】
2004353362.tif 000003
【図２】
2004353362.tif 000004
【図３】
2004353362.tif 000005
【図４】
2004353362.tif 000006
【図５】
2004353362.tif 000007
【図６】
2004353362.tif 000008
【図７】
2004353362.tif 000009
【図８】
2004353362.tif 000010
【図９】
2004353362.tif 000011
【図１０】
2004353362.tif 000012